(57)【要約】【課題】  ＶＣＭ等のヘッド・アームの駆動部と磁気ディスクとを隔離しながらも、構成部品の配置の自由度を高めた磁気ディスク装置を提供する。【解決手段】  磁気ディスク装置１０は、磁気ディスク１０４、磁気ディスク１０４対するデータの記録・再生を行うヘッド及びヘッドを保持するヘッド・アーム１１０を配置した磁気ディスク室と、ヘッド・アーム１１０を回動軸１１２を中心に揺動させるＶＣＭ２００を配置したＶＣＭ室とが、磁気ディスク１０４の記録面に沿って設けた磁気ディスク室筐体の底部を隔離璧として分離されている。なお、回動軸１１２は、開口部１１３を貫通して配置される。【選択図】  図２
2006294149.tif 000002
【特許請求の範囲】
【請求項１】
磁気ディスク、前記磁気ディスクに対するデータの記録又は再生のうち少なくとも一方を行うヘッド、並びに前記ヘッドを保持するヘッド・アーム部を配置した第１室と、
前記ヘッド・アーム部を回動軸を中心に揺動させる駆動部を配置した第２室とを有し、
前記第１室と前記第２室は、前記磁気ディスクの記録面に沿って設けた隔離璧によって分離され、
前記回動軸は、前記隔離壁が有する開口部を貫通して配置される磁気ディスク装置。
【請求項２】
前記開口部は円形状であり、
前記駆動部は前記磁気ディスクの記録面に沿って揺動するボイス・コイル・モータである請求項１に記載の磁気ディスク装置。
【請求項３】
前記磁気ディスクの記録面上から退避した前記ヘッドを保持するランプを備える請求項１に記載の磁気ディスク装置。
【請求項４】
少なくとも前記駆動部の一部は、前記磁気ディスクの外周より内側に位置する請求項１に記載の磁気ディスク装置。
【請求項５】
前記回動軸は、前記磁気ディスクの外周より外側に位置する請求項１に記載の磁気ディスク装置。
【請求項６】
前記開口部は、前記ヘッド・アーム部及び前記回動軸を貫通可能な形状であり、前記回動軸を貫通する円形状の開口を除いてシール部材により塞がれていることを特徴とする請求項１に記載の磁気ディスク装置。
【請求項７】
前記磁気ディスクと前記駆動部とは別々の筐体内に配置され、
前記磁気ディスクを配置する筐体の外壁に前記開口部を備える請求項１に記載の磁気ディスク装置。
【請求項８】
前記磁気ディスク及び前記駆動部は、１の筐体内に配置され、
前記駆動部を覆うカバーにより、前記駆動部が前記磁気ディスクから隔離されている請求項１に記載の磁気ディスク装置。
【請求項９】
前記カバーは切り欠き部を有し、
前記回動軸は、前記切り欠き部を貫通して配置される請求項８に記載の磁気ディスク装置。
【請求項１０】
前記隔離壁は軟磁性材料で形成されている請求項２に記載の磁気ディスク装置。
【発明の詳細な説明】
【技術分野】
【０００１】
本発明は、ヘッド・アームを駆動するボイス・コイル・モータ等の駆動部と磁気ディスクとを隔離した構成を有する磁気ディスク装置に関する。
【背景技術】
【０００２】
磁気ディスク装置において記録媒体として使用される磁気ディスクは、同心円状に形成された複数のトラックを有しており、各トラックは複数のセクタに区分されている。各セクタにはセクタのアドレス情報と、ユーザ・データとが記憶される。ヘッドがセクタのアドレス情報に従って所望のセクタにアクセスすることによって、セクタへのデータ書き込みあるいはセクタからのデータ読み出しを行うことができる。データ読み出し処理において、ヘッドが磁気ディスクから読み出した信号は、磁気ディスク装置の回路基板上に設けた信号処理回路によって波形整形及び復号処理などの所定の信号処理が施され、ホストに送信される。また、ホストからの転送データは、信号処理回路によって同様に所定処理された後、磁気ディスクに書き込まれる。
【０００３】
なお、上述したヘッドは、スライダに固定され、サスペンションを介してヘッド・アームの先端に取り付けられている。ヘッドの移動は、ヘッド・アームをボイス・コイル・モータ（ＶＣＭ）の駆動力によって動作させることにより行う。
【０００４】
このような磁気ディスク装置では、ヘッド・アームの駆動機構として用いるＶＣＭ、ヘッド・アームを固定する際に使用するベアリング等の部品から塵埃が生じ、磁気ディスク装置の筐体内の清浄度を低下させるという問題がある。
【０００５】
そこで、磁気ディスクを設けたディスク室からＶＣＭを隔離することにより、ＶＣＭから生じる塵埃がディスク室に流入することを防ぐ技術が知られている。例えば、特許文献１には、磁気ディスク外周に沿って設けた上流側隔離壁及び下流側隔離壁並びにヘッド・アームの回動軸によって磁気ディスクとＶＣＭを隔離する構成が開示されている。
【０００６】
図６は、特許文献１に開示された磁気ディスク装置５０を、トップ・カバーを除いた状態で示した平面図である。スライダ５０１はヘッド・アーム５０２の先端部に取り付けられており、ヘッド・アーム５０２はアーム回動軸５０３に支持されている。ＶＣＭ５０４の駆動力よって、ヘッド・アーム５０２がアーム回動軸５０３を中心に揺動する。図に示すように、ＶＣＭ５０４と磁気ディスク５０５とは、筐体５０６が備える上流隔離壁５０７及び下流隔離壁５０８並びにアーム回動軸５０３によって隔てられており、ＶＣＭ５０４から発生した塵埃が磁気ディスク５０５を取り付けたディスク室に入り込まないよう構成されている。
【特許文献１】特開平７−３２０４７８号公報
【発明の開示】
【発明が解決しようとする課題】
【０００７】
特許文献１に開示された磁気ディスク装置５０は、磁気ディスク５０５の外周に沿って隔離壁を設けて磁気ディスク５０５とＶＣＭ５０４を隔離する。このため、ＶＣＭ５０４が磁気ディスク５０５の外周より外側に位置する構成になる。したがって、磁気ディスク装置５０を設置する際の設置面の面積を小さくすることが難しい。
【０００８】
また、特許文献１に開示された磁気ディスク装置の構成は、磁気ディスクの停止時にスライダを磁気ディスクから退避させるロード・アンロード（ＬＵＬ）方式の磁気ディスク装置に適用することができない。隔離壁が存在するためにヘッド・アームの動作範囲が制限され、スライダを磁気ディスク面上から退避することができないためである。
【０００９】
このように、ＶＣＭ等のヘッド・アームの駆動部と磁気ディスクとを隔離した従来の磁気ディスク装置は、構成部品の配置の自由度が小さいという問題がある。
【００１０】
本発明は、上記の問題点を解決するためになされたものであり、本発明の目的は、ＶＣＭ等のヘッド・アームの駆動部と磁気ディスクとを隔離しながらも、構成部品の配置の自由度を高めた磁気ディスク装置を提供することである。
【課題を解決するための手段】
【００１１】
本発明にかかる磁気ディスク装置は、磁気ディスク、前記磁気ディスクに対するデータの記録又は再生のうち少なくとも一方を行うヘッド、並びに前記ヘッドを保持するヘッド・アーム部を配置した第１室と、前記ヘッド・アーム部を回動軸を中心に揺動させる駆動部を配置した第２室とを有している。さらに、前記第１室と前記第２室は、前記磁気ディスクの記録面に沿って設けた隔離璧によって分離され、前記回動軸は、前記隔離壁が有する開口部を貫通して配置されている。
【００１２】
このような構成により、磁気ディスクの記録面に平行な隔離壁によって磁気ディスクとＶＣＭ等の駆動部とを隔離しつつ、駆動部の駆動力を回動軸を介してヘッド・アーム部に伝達することができる。したがって、磁気ディスクの記録面に垂直な隔離壁を設ける従来の構成では採用できなかったＬＵＬ方式の採用や、磁気ディスクの外周より内側に駆動部が位置する構成の採用が可能となり、構成部品の配置の自由度を向上することができる。
【００１３】
ここで、前記開口部は円形状であり、前記駆動部は前記磁気ディスクの記録面に沿ってボイス・コイルが揺動するボイス・コイル・モータとすることができる。
【００１４】
なお、前記磁気ディスクの記録面上から退避した前記ヘッドを保持するランプを備えることにより、ＶＣＭ等のヘッド・アームの駆動部と磁気ディスクとを隔離しながらも、ＬＵＬ方式を採用することができる。
【００１５】
また、少なくとも前記駆動部の一部は、前記磁気ディスクの外周より内側に位置する構成とすることができる。磁気ディスクの記録面に垂直な隔離壁を設ける従来の構成と異なり、隔離壁と磁気ディスクとの干渉がないためである。これにより、磁気ディスク装置の設置面の面積を小さくすることができる。
【００１６】
一方、前記回動軸が前記磁気ディスクの外周より外側に位置する構成としてもよい。このような構成により磁気ディスクと回動軸が干渉しないため、隔離壁に面していない磁気ディスクの表面にヘッドをロードし、当該表面を記録面として利用できる。
【００１７】
また、前記開口部は、前記ヘッド・アーム部及び前記回動軸を貫通可能な形状であり、前記回動軸を貫通する円形状の開口を除いてシール部材により塞がれている構成としてもよい。このような構成により、例えば、ヘッド・アーム部と回動軸とを第２室側に取り付けた後に、ヘッド・アーム部を開口部から第１室側に挿入して組み立てることができ、本発明にかかる磁気ディスク装置の組み立てが容易となる。
【００１８】
さらに、前記磁気ディスクと前記駆動部とは別々の筐体内に配置し、前記磁気ディスクを配置する筐体の外壁に前記開口部を備えることとしてもよい。
【００１９】
また、前記磁気ディスク及び前記駆動部は１の筐体内に配置し、前記駆動部を覆うカバーにより、前記駆動部を前記磁気ディスクから隔離することとしてもよい。従来の磁気ディスク装置と同様に１つの筐体内に磁気ディスクとＶＣＭを収容することによって、従来の装置と同様の製造工程を利用できる。
【００２０】
なお、前記カバーは切り欠き部を有し、前記回動軸は、前記切り欠き部を貫通して配置されることとしてもよい。このような構成により、例えば、ヘッド・アーム部、回動軸及び駆動部を筐体に固定した後でも、カバーを容易に取り付けることができる。
【００２１】
なお、ボイス・コイル・モータを隔離する前記隔離壁は、軟磁性材料で形成することが望ましい。これにより、ボイス・コイル・モータの漏洩磁束により磁気ディスクが磁化されることを回避できる。
【発明の効果】
【００２２】
本発明により、ＶＣＭ等のヘッド・アームの駆動部と磁気ディスクとを隔離しながらも、構成部品の配置の自由度を高めた磁気ディスク装置を提供することができる。
【発明を実施するための最良の形態】
【００２３】
以下では、本発明を適用した具体的な実施の形態について、図面を参照しながら詳細に説明する。
【００２４】
発明の実施の形態１．
本実施の形態は、本発明をＬＵＬ方式の磁気ディスク装置に適用したものである。本実施の形態にかかる磁気ディスク装置１０の概観を図１に示す。図１（ａ）は、磁気ディスク装置１０のトップ・カバー１０３を取り除いた状態での正面図を示しており、図１（ｂ）は磁気ディスク装置１０の側面図、図１（ｃ）は磁気ディスク装置１０の底面図である。
【００２５】
図１（ｂ）に示すように、磁気ディスク装置１０は、ディスク室筐体１０１とＶＣＭ室筐体１０２を分離し、ディスク室筐体１０１の底面にＶＣＭ室筐体１０２を固定した構成を有している。ここで、磁気ディスク室筐体１０１には、磁気ディスク１０４、スピンドル・モータ（ＳＰＭ）１０５、スライダ１０６、サスペンション１０７、ヘッド・アーム１１０等が収容されている。また、ＶＣＭ室筐体１０２には、ＶＣＭ２００を構成するＶＣＭコイル２０１、トップ・ヨーク２０３等の部品が収容されている。つまり、ディスク室筐体１０１の底面が、磁気ディスク１０４とＶＣＭを構成するＶＣＭコイル２０１等とを分離する隔離壁の役割を果たしている。このように、磁気ディスク装置１０は、磁気ディスク１０４の記録面に略平行な隔離壁によって磁気ディスクとＶＣＭを隔てている点が特徴である。
【００２６】
図１（ａ）を参照しながら、ディスク室筐体１０１に収容された構成部品について説明する。磁気ディスク１０４は、ＳＰＭ１０５のハブに固定されている。ＳＰＭ１０５は所定の速度で磁気ディスク１０４を回転する。ＳＰＭ１０５は、ディスク室筐体１０１の外部に設けられるモータ・ドライブ・ユニット（ＭＤＵ）によって駆動される。なお、ＭＤＵはハード・ディスク・コントローラ（ＨＤＣ）、ＭＰＵ、リード・ライト・チャネル（Ｒ／Ｗチャネル）等の他のＩＣとともに回路基板（不図示）に搭載される。また、回路基板は、ディスク室筐体１０１及びＶＣＭ室筐体１０２の底面に設けられる。
【００２７】
磁気ディスク１０４に対して記録データの書き込み、読み出しを行うヘッド（不図示）は、スライダ１０６の先端に設けられている。スライダ１０６はサスペンション１０７に固定され、サスペンション１０７はヘッド・アーム１１０に固定されている。サスペンション１０７の先端部にはタブ１０８が設けられ、タブ１０８がランプ１０９に乗り上げることで、スライダ１０６が磁気ディスク１０４の外部に退避する。
【００２８】
ヘッド・アーム１１０の軸受部１１１は、回動軸１１２に回動可能な状態で取り付けられている。さらに、ヘッド・アーム１１０の軸受部１１１及び回動軸１１２は、ディスク室筐体１０１の底面に設けられた円形状の開口部１１３を貫通しており、ヘッド・アーム１１０はＶＣＭ室筐体１０２に収容されているＶＣＭコイル２０１と一体化している。また、回動軸１１２は、ＶＣＭ室筐体１０３に固定されている。なお、開口部１１３を介してＶＣＭ室からディスク室へ塵埃が流入することを抑えるため、流路抵抗を発生させて塵埃の流入を抑制するラビリンス・シールを、軸受部１１１と開口部１１３との間に設けることとしてもよい。
【００２９】
フレキシブル・プリント配線（ＦＰＣ）１１４には、スライダ１０６が備えるヘッドと、ＶＣＭ室筐体１０２設けられたヘッド・アンプ（不図示）との配線が設けられている。ＦＰＣ１１４は、ディスク室筐体１０１の底面に設けられた開口部１１５を貫通しており、ＶＣＭ室筐体１０２内部においてコネクタ１１６と接続されている。コネクタ１１６は、ＨＤＣ、Ｒ／Ｗチャネル、ＭＤＵ等を搭載した回路基板との接続を行うためのコネクタである。なお、ヘッド・アンプは、ヘッド・アーム１１０近傍のＦＰＣ１１４上に設けられる場合もある。この場合には、ＦＰＣ１１４は、ヘッド・アンプとＲ／Ｗチャネルとの配線となる。また、開口部１１５は、ＶＣＭ室１０２から塵埃が流入することがないよう封止されている。
【００３０】
最後に、エア・フィルタ１１７は、磁気ディスク１０４の回転により生じた気流を利用して、ディスク室筐体１０２内部の塵埃を除去するフィルタである。
【００３１】
次に、図２を用いて磁気ディスク装置１０が備える磁気ディスク１０４とＶＣＭ２００の位置関係を説明する。図２（ａ）は、図１（ａ）に示す直線１Ａ〜１Ｂによる磁気ディスク装置１０の断面図を示している。また、図２（ｂ）は、ヘッド・アーム１１０を回動してスライダ１０６を磁気ディスク１０４上にロードした状態での断面図であり、図１（ａ）に示す直線１Ｃ〜１Ｄによる断面図である。
【００３２】
ＶＣＭ２００は、ヘッド・アーム１１０の軸受部１１１に固定されたＶＣＭコイル２０１、マグネット２０２、トップ・ヨーク２０３及びボトム・ヨーク２０４により構成されている。ＶＣＭコイル２０１に電流を流すことによりＶＣＭコイル２０１にマグネット２０２の磁界が作用し、回動軸１１２を中心としてヘッド・アーム１１０が回動して、スライダ１０６に固定されたヘッドが磁気ディスク１０４上にロードされる。
【００３３】
図のように、ＶＣＭ２００と磁気ディスク１０４は、ディスク室筐体１０１の底面によって隔離されている。ヘッド・アーム１１０の軸受部１１１は、ディスク室筐体１０１の底面に設けた開口部１１３を貫通しており、軸受部１１１の下部であるＶＣＭ室側にＶＣＭコイル２０１が取り付けられ、軸受部１１１の上部であるディスク室側にサスペンション１０７が固定されている。
【００３４】
このような構成により、磁気ディスク１０４の記録面に平行な隔離壁によって磁気ディスク１０４とＶＣＭ２００を隔離しつつ、ＶＣＭ２００の駆動力をヘッド・アーム１１０に伝達することが可能となる。
【００３５】
図３は、ディスク室筐体１０１の底面に設けた開口部１１３及び１１５の状態を示すため、図１（ａ）の平面図において磁気ディスク１０４、ヘッド・アーム１１０等の構成部品を省略した図であり、組み立て前のディスク室筐体１０１の平面図に相当する図である。図３（ａ）に示すように開口部１１３は回動軸１１２を中心にヘッド・アーム１１０が回動できるよう、円形状としている。開口部１１５の形状に特に制限はない。
【００３６】
なお、図３（ｂ）は、磁気ディスク装置１０の組み立てを容易とするため、開口部１１３の形状を変更したものである。このような開口部を設けることにより、ＶＣＭコイル２０１と一体化したヘッド・アーム１１０をＶＣＭ室筐体１０３に固定された回動軸１１２に取り付けた後、ＶＣＭ室筐体１０２をディスク室筐体１０１の底面に固定することによって、磁気ディスク装置１０を組み立てることができる。開口部１１３のうち、サスペンション１０７、ヘッド・アーム１１０等を通すために拡張した部分は、ＶＣＭ室筐体１０２を取り付けた後に、シール材によって封止することとすればよい。
【００３７】
上述したように、磁気ディスク１０４の記録面に略平行な隔離壁によって磁気ディスク１０４とＶＣＭ２００を隔離し、隔離壁に設けた円形状の開口部１１３を貫通する回動軸１１２を中心にヘッド・アーム１１０を動作することにより、従来の磁気ディスク装置５０のように磁気ディスク１０４の記録面に垂直な隔離壁を設ける構成では採用できなかったＬＵＬ方式を採用することができる。また、後述する発明の実施の形態２で詳述するように、磁気ディスク１０４の外周より内側にＶＣＭ２００が位置するような構成を採用することが可能となる。
【００３８】
また、従来の磁気ディスク装置５０は、ＶＣＭ５０４と磁気ディスク５０５との間を、磁気ディスク５０５の記録面に垂直に設けた上流隔離壁５０７及び下流隔離壁５０８並びにアーム回動軸５０３によって隔てた構成である。このため、上流隔離壁５０７及び下流隔離壁５０８とアーム回動軸５０３との隙間に対して、磁気ディスク５０５の回転に伴って生じる磁気ディスク５０５の記録面に平行な気流が流入しやすい構成となっていた。
【００３９】
これに対し、磁気ディスク装置１０は、磁気ディスク１０４の記録面に略平行な隔離壁に開口部１１３を設けた構成である。したがって、磁気ディスク１０４の回転に伴って生じる気流の風向と隔離壁とは平行な関係にあり、磁気ディスク１０４の回転に伴って生じる気流が開口部１１３に流入し難い構成となっている。このため、磁気ディスク装置１０は、従来の磁気ディスク装置５０に比べて、磁気ディスク室とＶＣＭ室の分離性を高めることができ、ＶＣＭ室から磁気ディスク室への塵埃の流入をさらに低減することが可能である。
【００４０】
なお、図２（ｂ）に示したように、本実施の形態の磁気ディスク装置１０は、磁気ディスク１０４の下面を記録面として使用する構成としているが、磁気ディスク１０４の上面にヘッドをロードする構成とすることも可能である。また、従来から行われているように、ヘッド・アーム１１０を積み重ねた構成とし、磁気ディスク１０４の両面を記録面として利用することも可能である。また、ヘッド・アーム１１０をさらに積み重ね、磁気ディスク１０４を複数枚とした構成であっても、本発明が適用できることは言うまでもない。
【００４１】
発明の実施の形態２．
本実施の形態にかかる磁気ディスク装置３０の概観を図４に示す。図４（ａ）は、磁気ディスク装置３０のトップ・カバー３０３を取り除いた状態での正面図を示している。また、図４（ｂ）は、図４（ａ）に示す直線４Ａ〜４Ｂによる磁気ディスク装置３０の断面図を示している。磁気ディスク装置３０が備える構成部品は、発明の実施の形態１にかかる磁気ディスク装置１０と同様であるため、同一の符号を付して説明を省略する。
【００４２】
磁気ディスク装置３０は、発明の実施の形態１の磁気ディスク装置１０に比べて、回動軸１１２、ＶＣＭ２００を磁気ディスク１０４の外周より内側に設置している点が特徴である。このような構成は、従来の磁気ディスク装置５０のように磁気ディスク１０４の記録面に垂直な隔離壁を設ける構成では採用することができなかった。このような構成は、本発明が磁気ディスク１０４の記録面に略平行な隔離壁によって磁気ディスク１０４とＶＣＭ２００を隔離したことによって可能となったものである。このような構成により、従来の磁気ディスク装置５０に比べて、磁気ディスク装置３０を設置する際の設置面の面積を小さくすることができる。
【００４３】
発明の実施の形態３．
本実施の形態にかかる磁気ディスク装置４０の概観を図５に示す。図５（ａ）は、磁気ディスク装置４０のトップ・カバー４０３を取り除いた状態での正面図を示している。また、図５（ｂ）は、図５（ａ）に示す直線５Ａ〜５Ｂによる磁気ディスク装置４０の断面図を示している。なお、磁気ディスク装置４０が備える構成部品は、発明の実施の形態１にかかる磁気ディスク装置１０と同様であるため、同一の符号を付して説明を省略する。
【００４４】
磁気ディスク装置４０は、ディスク室とＶＣＭ室の筐体を１つの筐体４０１に共通化している点が、時期ディスク装置１０と異なっている。磁気ディスク装置４０は、ＶＣＭ２００の設置箇所を隔離壁４０４で覆うことによりＶＣＭ室を形成し、磁気ディスク１０４とＶＣＭ２００を隔離している。
【００４５】
なお、ヘッド・アーム１１０を筐体４０４に固定した状態で、筐体４０１に隔離壁４０４を固定する場合は、図５（ｃ）に示すように、隔離壁４０４に切り欠き部４０５を設けておくとよい。切り欠き部４０５に回動軸１１２を通した状態で隔離壁４０４を筐体４０１に固定した後に、開口部１１３に必要な領域を除く切り欠き部４０５をシール材によって封止することとすればよい。また、隔離壁４０４は軟磁性材料で構成するとよい。ＶＣＭ２００からの漏洩磁束により磁気ディスク１０４が磁化されることを回避できるためである。
【００４６】
上述したように、磁気ディスク装置４０は、従来の磁気ディスク装置と同様に１つの筐体内に磁気ディスクとＶＣＭを収容する構成であるため、ディスク室とＶＣＭ室の筐体が分離している磁気ディスク装置１０及び３０に比べて製造が容易である。
【００４７】
上述した実施の形態１乃至３では、ＬＵＬ方式を採用した磁気ディスク装置に本発明を適用した場合を説明したが、本発明はＣＳＳ方式の磁気ディスク装置にも適用可能である。また、本発明は上述した実施の形態のみに限定されるものではなく、本発明の要旨を逸脱しない範囲において種々の変更が可能であることは勿論である。
【図面の簡単な説明】
【００４８】
【図１】本発明にかかる磁気ディスク装置の概観図である。
【図２】本発明にかかる磁気ディスク装置の断面図である。
【図３】本発明にかかる磁気ディスク装置の筐体を示す図である。
【図４】本発明にかかる磁気ディスク装置の概観図である。
【図５】本発明にかかる磁気ディスク装置の概観図である。
【図６】従来の磁気ディスク装置の概観図である。
【符号の説明】
【００４９】
１０、３０、４０  磁気ディスク装置、１０１、３０１  ディスク室筐体、
１０２、３０２  ＶＣＭ室筐体、１０３、３０３、４０３  トップ・カバー、
４０１  筐体、４０４  隔離壁、
１０４  磁気ディスク、１０５    スピンドル・モータ（ＳＰＭ）、１０６  スライダ、
１０７  サスペンション、１０８  タブ、１０９  ランプ、１１０ヘッド・アーム、
１１１  軸受部、１１２  回動軸、１１３  開口部、１１４  ＦＰＣ、
１１５  開口部、１１６  コネクタ、１１７  エア・フィルタ、
２００  ボイス・コイル・モータ（ＶＣＭ）、２０１  ＶＣＭコイル、２０２  マグネット、
２０３  トップ・ヨーク、２０４  ボトム・ヨーク
【図１】
2006294149.tif 000003
【図２】
2006294149.tif 000004
【図３】
2006294149.tif 000005
【図４】
2006294149.tif 000006
【図５】
2006294149.tif 000007
【図６】
2006294149.tif 000008